(57)【要約】  本発明は、前部ドア（Ａ）、及び当該前部ドアのロック調節装置を備える引き出し（Ｃ）に関し；上記装置は、「Ｘ」水平軸及び「Ｙ」垂直軸に従った、引き出し（Ｃ）に対するドア（Ａ）の第１のロック調節機構（１）を含む。【選択図】図３
2015501181.tif 000002
【特許請求の範囲】
【請求項１】
引き出し（Ｃ）であって：
前方垂直縁（Ｓ）、前部ドア（Ａ）、及び前記前縁（Ｓ）に対する前記前部ドア（Ａ）のロック調節装置を備え；該ロック調節装置は、少なくとも１つのロック調節機構（１）であって：
−引き出し（Ｃ）の前記前縁（Ｓ）の正面に固定される第１のブラケット（１１）；
−前記前部ドア（Ａ）の後面に固定されるカーソル（１３）；
−ラッチ手段（１４、１１ａ）によって前記ブラケット（１１）に固定されるプレート（１２）；
−プレート（１２）とカーソル（１３）との間の垂直ガイド手段
を含む、少なくとも１つのロック調節機構（１）を含むことを特徴とする、引き出し。
【請求項２】
引き出し（Ｃ）であって、前記ラッチ手段（１４、１１ａ）は：
−反対側から、外方に面する２つの保持歯（１４ｂ）を有する一対のウイング（１４ａ）が設けられているばねクリップ（１４）；
−前記ばねクリップ（１４）が嵌まる、前記第１のブラケット（１１）に得られる矩形のスロット（１１ａ）
からなることを特徴とする、請求項１に記載の引き出し。
【請求項３】
引き出し（Ｃ）であって、前記矩形のスロット（１１ａ）には、下側及び上側の重なる側に刻み付きプロファイルが設けられており、接触面間、及び正確には前記矩形のスロット（１１ａ）の前記重なる側と前記一対のウイング（１４ａ）の外面との間の把持を高めることを特徴とする、請求項２に記載の引き出し。
【請求項４】
引き出し（Ｃ）であって、前記ロック調節機構（１）は、「Ｘ」軸に従った調節手段（１６、１２ａ）であって：
−ステム（１６ａ）及び偏心拡径ヘッド（１６ｂ）が設けられている調節ねじ（１６）；
−前記調節ねじ（１６）の前記ステム（１６ａ）を収容する、プレート（１２）に設けられている孔（１２ａ）；
−前記調節ねじ（１６）の前記ヘッド（１６ｂ）を収容する、ブラケット（１１）に設けられている垂直スロット（１１２）
を含む、調節手段（１６、１２ａ）を含むことを特徴とする、請求項１〜３のいずれか一項に記載の引き出し。
【請求項５】
引き出し（Ｃ）であって、前記第１のカーソル（１３）及び前記第１のプレート（１２）は「Ｙ」軸に従った調節手段（１２ｂ、１３ａ、１５）によって協働することを特徴とする、請求項１〜４のいずれか一項に記載の引き出し。
【請求項６】
引き出し（Ｃ）であって、「Ｙ」軸に従った前記調節手段（１２ｂ、１３ａ、１５）は：
−ステム（１５ａ）及び偏心拡径ヘッド（１５ｂ）が設けられている偏心ねじ（１５）；
−ステム（１５ａ）が挿入される、カーソル（１３）に得られる貫通孔（１３ａ）；
−前記偏心拡径ヘッド（１５ｂ）を収容する、プレート（１２）に得られる孔（１２ｂ）
を含むことを特徴とする、請求項５に記載の引き出し。
【請求項７】
引き出し（Ｃ）であって、前記ブラケット（１１）には、前記ねじ（１５）の前記拡径ヘッド（１５ｂ）を収容する水平スロット（１１１）が設けられており、前記ねじ（１５）はしたがって前記引き出しの内部から作動されることを特徴とする、請求項６に記載の引き出し。
【請求項８】
引き出し（Ｃ）であって、プレート（１２）とカーソル（１３）との間の前記垂直ガイド手段は：
−前記プレート（１２）に設けられている垂直スロット（１２２）；
−「Ｙ」垂直軸に沿って摺動する、前記垂直スロット（１２２）内に収容される、カーソル（１３）に設けられている歯（１３３）
を含むことを特徴とする、請求項１〜７のいずれか一項に記載の引き出し。
【請求項９】
引き出し（Ｃ）であって、該引き出し（Ｃ）の前記前縁（Ｓ）には、前記ロック調節機構（１）の前記調節手段（１２ｂ、１３ａ、１５；１６、１２ａ）を作動するために前記第１のブラケット（１１）に対応して第１の窓（Ｓ１）が設けられていることを特徴とする、請求項１〜８のいずれか一項に記載の引き出し。
【請求項１０】
引き出し（Ｃ）であって、該引き出し（Ｃ）の前記前縁（Ｓ）には、前記ロック調節機構（１）を完全に収容するニッチ（Ｎ）が設けられていることを特徴とする、請求項１〜９のいずれか一項に記載の引き出し。
【発明の詳細な説明】
【技術分野】
【０００１】
産業発明のための本特許出願は、前部ドアが設けられているとともに当該前部ドアのロック調節装置を備える引き出しに関する。
【背景技術】
【０００２】
より正確には、前部ドアを有する引き出しは、水平な底壁、及び前部ドアが固定される少なくとも１つの垂直前縁から構成される引き出しである。
【０００３】
内装（ｆｉｎｉｓｈｉｎｇ）ドアとも規定される上記前部ドアは、引き出しが閉められても見えたままであり、したがって、引き出しが収容されるコンパートメントを覆う。
【０００４】
上記前部ドアには多くの場合に、前縁よりも大きい高さ及び／又は幅が設けられている。
【０００５】
上記ドアを引き出しに連結するのに用いられる機構の特性は、機構が、引き出しがキャビネット内に位置決めされた後でドアを調節することを可能にすることである。
【０００６】
市場で現在入手可能な機構の欠点は、引き出しに対する前部ドアの複雑な調節に関する。
【０００７】
上記機構の幾つかを作動するためには、引き出しをそのコンパートメントから取り出さなければならず、一方で、他の機構は引き出しに対するドアの迅速で直観的なロックを提供するものではないため、ロック中にドアの位置を過って変える可能性があるというマイナスの結果になる。
【０００８】
特許文献１は、引き出しの前縁に固定されるいかなるブラケットも含まない調節機構が設けられている引き出しを開示している。
【先行技術文献】
【特許文献】
【０００９】
【特許文献１】欧州特許第０１６０７３３号
【発明の概要】
【発明が解決しようとする課題】
【００１０】
本発明の主な目的は、ロック調節装置が設けられている前部ドアを有する引き出しを考案することであり、ロック調節装置は、ドアを引き出しに固定し、次に、選択位置を過って変えることなく引き出しに対するドアの位置を調節することを可能にする。
【００１１】
本発明の第２の目的は、ロック調節装置が設けられている前部ドアを有する引き出しを考案することであり、ロック調節装置は、「Ｘ」軸及び「Ｙ」軸に従って中央位置において前部ドアを引き出しに固定することを可能にする。
【００１２】
本発明の第３の目的は、ロック調節装置が設けられている前部ドアを有する引き出しを考案することであり、ロック調節装置は、前部ドアを引き出しに取り付けるとともに固定することを、そのような作業に現在用いられている固定ねじを用いることなく可能にし、固定ねじを用いることは、組み付け中の上記ねじの不正確な挿入が引き出しからのドアの連結解除を引き起こす可能性があるという不都合を伴う。
【００１３】
本発明の第４の目的は、ロック調節装置が設けられている前部ドアを有する引き出しを考案することであり、ロック調節装置は、前部ドアを引き出しに対して迅速に連結及び連結解除することを可能にする。
【００１４】
本発明の第５の目的は、ロック調節装置が設けられている前部ドアを有する引き出しを考案することであり、ロック調節装置は、「Ｘ」軸及び「Ｙ」軸に従った特定の調節手段を作動して初めて「Ｘ」軸及び「Ｙ」軸に従った調節を可能にする。
【００１５】
本発明の第６の目的は、ロック調節装置が設けられている前部ドアを有する引き出しを考案することであり、ロック調節装置は、（現在入手可能な機構に設けられている）ロックねじを作動することなく、上記特定の調節手段を作動した後で引き出しに対するドアの位置をロックすることを可能にし、したがって調節サイクルを促す。
【００１６】
本発明の第７の目的は、ロック調節装置が設けられている前部ドアを有する引き出しを考案することであり、ロック調節装置は、引き出しがキャビネット内に設けられているランナに既に取り付けられているときにも前部ドアを引き出しに固定することを可能にする。
【課題を解決するための手段】
【００１７】
上述の目的を達成するために、本発明の引き出しには、水平な「Ｘ」軸及び垂直な「Ｙ」軸に従ってドアを引き出しに対して移動させることを可能にする少なくとも１つのロック調節機構を含む装置が設けられている。
【００１８】
例示的なものに過ぎず、限定するものではない添付の図面を参照して本発明の説明を続ける。
【図面の簡単な説明】
【００１９】
【図１】前部ドアの２つの同一のロック調節機構を含むロック調節装置が設けられている本発明の引き出しの分解不等角投影図である。
【図２】後ろから見たロック調節機構の分解不等角投影図である。
【図３】前から見たロック調節機構の分解不等角投影図である。
【図４】２つのロック調節機構及び前部ドアが引き出しの前縁に連結されていない状態の、本発明の引き出しの不等角投影図である。
【図５】前部ドアが下側移動終了位置に位置する状態の、内部から見た本発明の引き出しに取り付けられているロック調節機構を示す図である。
【図５Ａ】図５Ｂの平面Ｖ−Ｖの断面図である。
【図５Ｂ】前部ドアが下側移動終了位置に位置する状態の、外部から見た本発明の引き出しに取り付けられているロック調節機構を示す図である。
【図６】前部ドアが上側移動終了位置に位置する状態の、内部から見た本発明の引き出しに取り付けられているロック調節機構を示す図である。
【図６Ａ】図６Ｂの平面ＶＩ−ＶＩの断面図である。
【図６Ｂ】前部ドアが上側移動終了位置に位置付する状態の、外部から見た本発明の引き出しに取り付けられているロック調節機構を示す図である。
【図７】前部ドアが側方移動終了位置に完全に移動した状態の、内部から見た本発明の引き出しに取り付けられているロック調節機構を示す図である。
【図７Ａ】図７の平面ＶＩＩ−ＶＩＩの断面図である。
【図７Ｂ】前部ドアが側方移動終了位置に完全に移動した状態の、外部から見た本発明の引き出しに取り付けられているロック調節機構を示す図である。
【図８】前部ドアが、図７、図７Ａ、図７Ｂのうちの１つと反対の側方移動終了位置に完全に移動した状態の、内部から見た本発明の引き出しに取り付けられているロック調節機構を示す図である。
【図８Ａ】図８のＶＩＩＩ−ＶＩＩＩの断面図である。
【図８Ｂ】前部ドアが、図７、図７Ａ、図７Ｂのうちの１つと反対の側方移動終了位置に完全に移動した状態の、外部から見た本発明の引き出しに取り付けられているロック調節機構を示す図である。
【発明を実施するための形態】
【００２０】
本発明の引き出し（Ｃ）は、水平底壁（Ｆ）、及び前部ドア（Ａ）が固定される垂直前縁（Ｓ）を含む。
【００２１】
図１を参照すると、装置は、少なくとも１つのロック調節機構（１）であって：
−引き出し（Ｃ）の上記前縁（Ｓ）の正面に固定されるブラケット（１１）；
−前部ドア（Ａ）の後面に固定されるカーソル（１３）；
−ラッチ手段（１４、１１ａ）によって上記ブラケット（１１）に固定されるプレート（１２）；
を含み、上記プレート（１２）は上記第１のブラケット（１１）と上記カーソル（１３）との間に位置決めされる、少なくとも１つのロック調節機構（１）を含む。
【００２２】
機構（１）はまた、本明細書において以下で詳細に説明するように、「Ｘ」軸に従った調節手段（１６、１２ａ）、及び「Ｙ」軸に従った調節手段（１２ｂ、１３ａ、１５）を含む。
【００２３】
より正確には、上記ラッチ手段（１４、１１ａ）は：
−反対側から、外方に面する２つの保持歯（１４ｂ）を有する一対のウイング（１４ａ）が設けられているばねクリップ（１４）；
−図４に示されているような、水平方向の展開を有する上記第１のブラケット（１１）に得られる矩形のスロット（１１ａ）
からなる。
【００２４】
「Ｘ」軸に従った調節手段（１６、１２ａ）は：
−ステム（１６ａ）及び偏心拡径ヘッド（１６ｂ）が設けられている調節ねじ（１６）；
−上記調節ねじ（１６）のステム（１６ａ）を収容する、プレート（１２）に設けられている孔（１２ａ）；
−調節ねじ（１６）のヘッド（１６ｂ）を収容する、ブラケット（１１）に設けられている垂直スロット（１１２）
からなる。
【００２５】
上記調節ねじ（１６）の動作及び利点は以下の説明の後でより明らかとなるであろう。
【００２６】
図１を参照すると、引き出し（Ｃ）の前縁（Ｓ）に対する前部ドア（Ａ）の組み付けは、ブラケット（１１）をねじ（又は他の固定システム）を用いて前縁（Ｓ）に固定すること、上記カーソル（１３）及びプレート（１２）を連結すること、並びに、カーソル（１３）及びプレート（１２）を、カーソル（１３）に設けられている好適な孔に挿入されるねじ（Ｖ）（又は他の固定システム）を用いてドア（Ａ）の後面に固定することを提供する。
【００２７】
前部ドア（Ａ）を前縁（Ｓ）に固定するには、ばねクリップ（１４）を挿入し、一対のウイング（１４ａ）を上記矩形のスロット（１１ａ）内で弾性的にスナップさせる（この場合、一対のウイング（１４ａ）は「Ｘ」軸に従ってのみ摺動することができる）。
【００２８】
添付の図面に示されているように、上記矩形のスロット（１１ａ）には、下側及び上側の重なる側に刻み付きプロファイルが設けられており、接触面間、及び正確には矩形のスロット（１１ａ）の上記重なる側と一対のウイング（１４ａ）の外面との間の把持を高め；そのような技術的な機構は、「Ｘ」軸に従った上記プレート（１２）とブラケット（１１）との間の相互のロックを保証し、矩形のスロット（１１ａ）内でのばねクリップ（１４）の自由な左右への摺動を防止するために提供される。
【００２９】
調節ねじ（１６）は、本明細書において以下で詳細に記載するように、矩形のスロット（１１ａ）内でのばねクリップ（１４）の位置を調節するために作動されなければならない。
【００３０】
上記第１のカーソル（１３）と第１のプレート（１２）との間の「Ｙ」軸に従った調節手段（１２ｂ、１３ａ、１５）は：
−ステム（１５ａ）及び偏心拡径ヘッド（１５ｂ）が設けられている偏心ねじ（１５）；
−ステム（１５ａ）が挿入される、カーソル（１３）に得られる孔（１３ａ）；
−上記偏心拡径ヘッド（１５ｂ）を収容する、上記第１のプレート（１２）に得られる貫通孔（１２ｂ）
からなる。
【００３１】
プレート（１２）及びカーソル（１３）には、垂直ガイド手段であって：
−プレート（１２）に設けられている垂直スロット（１２２）；
−「Ｙ」垂直軸に沿って摺動する、上記垂直スロット（１２２）内に収容される、カーソル（１３）に設けられている歯（１３３）
からなる垂直ガイド手段がそれぞれ設けられることに留意されたい。
【００３２】
図５、図５Ａ、図５Ｂ、図６、図６Ａ及び図６Ｂに示されているように、上記偏心ねじ（１５）の回転によって、第１のプレート（１２）に対するカーソル（１３）の（図５Ｂ、図６Ｂを参照のこと）、及び対応する垂直スロット（１２２）内での歯（１３３）の上下の摺動が生じる。
【００３３】
添付の図面によると、本発明の装置は、有利には２つの第１のロック調節機構（１）を含む。
【００３４】
上記２つの第１の機構（１）のそれぞれの組み付けは：
−第１のブラケット（１１）を引き出し（Ｃ）の前縁（Ｓ）に固定すること；
−上記垂直ガイド手段（１２２、１３３）を協働させるためにカーソル（１３）を第１のプレート（１２）に付着させること；
−偏心ねじ（１５）を一対の孔（１２ｂ、１３ａ）に挿入すること；
−調節ねじ（１６）のステム（１６ａ）をプレート（１２）に得られる孔（１２ａ）内に挿入すること；
−カーソル（１３）を、好ましくはねじ（Ｖ）を用いてドア（Ａ）の後面に固定すること；
−ばねクリップ（１４）の歯（１４ｂ）を矩形のスロット（１１ａ）内に挿入すると同時に調節ねじ（１６）のヘッド（１６ｂ）を垂直スロット（１１２）内に挿入すること
を提供する。
【００３５】
図３及び図４を参照すると、プレート（１２）及びカーソル（１３）は、「Ｙ」垂直軸に従った自由な相互の摺動を防止するように構成されている手段（１３４、１２４）を含む。
【００３６】
上記手段は、機構（１）が動作状態に組み付けられると接触するように構成されている、プレート（１２）及びカーソル（１３）の表面に設けられている刻み目（１２４、１３４）からなる。
【００３７】
前部ドア（Ａ）を引き出し（Ｃ）に組み付けた後で、その位置を調節する必要がある。
【００３８】
「Ｘ」軸に従った調節は、図７、図７Ａ、図７Ｂ、図８、図８Ａ及び図８Ｂに示されているように調節ねじ（１６）のヘッド（１６ａ）によって行う。
【００３９】
ヘッド（１６ａ）を回転させることによって、ドア（Ａ）が左右に移動し、その結果、図７及び図８に示されているように、ねじ（１５）が水平スロット（１１１）内で摺動し、ばねクリップ（１４）が矩形のスロット（１１ａ）内で摺動する。
【００４０】
「Ｙ」軸に従った前部ドア（Ａ）の調節は、カーソル（１３）を第１のプレート（１２）に対して摺動させるために偏心ねじ（１５）によって行われる。
【００４１】
前述したように、図５、図５Ａ、図５Ｂ、図６、図６Ａ及び図６Ｂを参照すると、偏心ねじ（１５）の回転の結果、カーソル（１３）が「Ｙ」軸に従って第１のプレート（１２）に対して相互に移動し；カーソル（１３）が前部ドア（Ａ）に固定され、第１のプレート（１２）がばねクリップ（１４）によって第１のブラケット（１１）に固定され、第１のブラケット（１１）は引き出し（Ｃ）の前縁（Ｓ）に接合され、カーソル（１３）とプレート（１２）との間の「Ｙ」軸に従った上記相互の移動は、引き出し（Ｃ）に対する前部ドア（Ａ）の移動に変換される。
【００４２】
図１を参照すると、引き出し（Ｃ）の前縁（Ｓ）には窓（Ｓ１）が最終的に設けられ、この窓（Ｓ１）を通して、ドア（Ａ）の上記調節手段（１５、１６）を、引き出し（Ｃ）から取り出す必要なく作動することができる。
【００４３】
さらに、図４、図５、図６、図７及び図８に示されているように、上記ブラケット（１１）にはねじ（１５）の拡径ヘッド（１５ｂ）を収容する水平スロット（１１１）が設けられているため、上記ねじ（１５）は引き出し（Ｃ）の内部から作動することができることに留意されたい。
【００４４】
図４は、偏心ねじ（１５）及び調節ねじ（１６）によってドア（Ａ）の正しい位置を選択した後で引き出し（Ｃ）の内部から２つの窓（Ｓ１）を覆うように構成されている２つのキャップ（Ｔ）も示している。
【００４５】
添付の全ての図面は、上記ロック調節機構（１）を完全に収容する前縁（Ｓ）にニッチ（Ｎ）が設けられている引き出し（Ｃ）を示している。
【図１】
2015501181.tif 000003
【図２】
2015501181.tif 000004
【図３】
2015501181.tif 000005
【図４】
2015501181.tif 000006
【図５−５Ａ】
2015501181.tif 000007
【図５Ｂ】
2015501181.tif 000008
【図６−６Ａ】
2015501181.tif 000009
【図６Ｂ】
2015501181.tif 000010
【図７−７Ａ】
2015501181.tif 000011
【図７Ｂ】
2015501181.tif 000012
【図８−８Ａ】
2015501181.tif 000013
【図８Ｂ】
2015501181.tif 000014
【国際調査報告】
2015501181.tif 000015
2015501181.tif 000016